(57)【特許請求の範囲】
【請求項１】
使用者の左右いずれかの側頭部に当接する第１当接部と、
前記第１当接部とは異なる左右いずれかの側頭部に当接する第２当接部と、
前記第１当接部と前記第２当接部との間で、前記使用者の前頭部に沿って介在するフレーム部と、
前記第１当接部と前記フレーム部とを接続する第１接続部と、
前記第２当接部と前記フレーム部とを接続する第２接続部と、を備え、
前記第１接続部は、前記第１当接部から前記使用者の前方に向かって延在する第１延在部と、前記使用者の耳より前方に位置し、且つ前記フレーム部から前記使用者の後方に向かって延在する第１フレーム延在部を形成するように前記第１延在部と前記フレーム部とを接続する第１分岐部と、を有し、上面視において前記第１分岐部から前記第１延在部と前記第１フレーム延在部に分岐し、
前記第２接続部は、前記第２当接部から前記使用者の前方に向かって延在する第２延在部と、前記使用者の前記耳より前方に位置し、且つ前記フレーム部から前記使用者の後方に向かって延在する第２フレーム延在部を形成するように前記第２延在部と前記フレーム部とを接続する第２分岐部と、を有し、前記上面視において前記第２分岐部から前記第２延在部と前記第２フレーム延在部に分岐し、
前記第１フレーム延在部及び前記第２フレーム延在部の少なくとも一方は、ウェアラブル機器を支持する支持部を備える
ウェアラブル機器用支持部材。
【請求項２】
前記第１接続部は、側面視において、前記第１分岐部から前記第１延在部と前記第１フレーム延在部に分岐し、
前記第２接続部は、前記側面視において、前記第２分岐部から前記第２延在部と前記第２フレーム延在部に分岐している
請求項１に記載のウェアラブル機器用支持部材。
【請求項３】
前記第１フレーム延在部は、前記第１分岐部に着脱可能であり、
前記第２フレーム延在部は、前記第２分岐部に着脱可能である
請求項１または２に記載のウェアラブル機器用支持部材。
【請求項４】
前記フレーム部に接続され、前記使用者の前記前頭部に当接する第３当接部をさらに備える
請求項１〜３の何れか一項に記載のウェアラブル機器用支持部材。
【請求項５】
前記第３当接部は、鉛直方向に移動可能である
請求項４に記載のウェアラブル機器用支持部材。
【請求項６】
前記第１当接部及び前記第２当接部は、装着状態において、長手方向の中心位置が前記使用者の前記耳より後方に位置している
請求項１〜５の何れか一項に記載のウェアラブル機器用支持部材。
【請求項７】
前記第１フレーム延在部及び前記第２フレーム延在部に取り付けられ、前記使用者の後頭部に沿って当接する後頭部バンドをさらに備える
請求項１〜６の何れか一項に記載のウェアラブル機器用支持部材。
【発明の詳細な説明】
【技術分野】
【０００１】
本発明は、ウェアラブル機器を使用者の頭部に固定するための支持部材に関するものである。
【背景技術】
【０００２】
近年、ヘッドマウントディスプレイやウェアラブルカメラ等のウェアラブル機器を頭部に装着して利用することが知られている。ウェアラブル機器の利用用途として、遠隔地にいる技能者が作業現場にいる作業者に対して技能を要する作業の指示を行なう作業支援の用途が考えられる。この場合、作業者はウェアラブル機器とともに多くの場合ヘルメットを装着することとなる。例えば、特許文献１では画像表示装置をヘルメット等の帽体の一部に直接取り付ける機構が開示されている。また特許文献２では、表示装置を前頭部と側頭部を覆うＵ字型のフレームで頭部に固定する装着機構が開示されている。
【先行技術文献】
【特許文献】
【０００３】
【特許文献１】日本国特開２００７−６７４９７号公報
【特許文献２】日本国特開平９−１１３８６０号公報
【発明の概要】
【発明が解決しようとする課題】
【０００４】
しかしながら、特許文献１に開示のものでは、ヘルメットの前方に直接取り付ける機構であるため、作業中の頭の移動や傾きに伴いヘルメットがぐらついたり、ずれたりすると、直接取り付けられた画像表示装置もぐらついたり、ずれたりしてしまい、表示画像の観察に不都合が生じてしまう。【０００５】
また特許文献２に開示のものでは、ヘルメットとともに使用することが想定されておらず、ヘルメットやヘルメットの耳紐とＵ字型のフレームとの干渉が問題となる。【０００６】
上記した事情に鑑みてなされた本発明の目的は、ヘルメットや危険を避けるための帽子等の帽体と干渉せず、安定的に使用者の頭部に対してウェアラブル機器を固定するウェアラブル機器用支持部材を提供することにある。
【課題を解決するための手段】
【０００７】
本発明の第一の態様によれば、ウェアラブル機器用支持部材は、使用者の左右いずれかの側頭部に当接する第１当接部と、前記第１当接部とは異なる左右いずれかの側頭部に当接する第２当接部と、前記第１当接部と前記第２当接部との間で、前記使用者の前頭部に沿って介在するフレーム部と、前記第１当接部と前記フレーム部とを接続する第１接続部と、前記第２当接部と前記フレーム部とを接続する第２接続部と、を備える。前記第１接続部は、前記第１当接部から前記使用者の前方に向かって延在する第１延在部と、前記使用者の耳より前方に位置し、且つ前記フレーム部から前記使用者の後方に向かって延在する第１フレーム延在部を形成するように前記第１延在部と前記フレーム部とを接続する第１分岐部と、を有し、上面視において前記第１分岐部から前記第１延在部と前記第１フレーム延在部に分岐する。前記第２接続部は、前記第２当接部から前記使用者の前方に向かって延在する第２延在部と、前記使用者の前記耳より前方に位置し、且つ前記フレーム部から前記使用者の後方に向かって延在する第２フレーム延在部を形成するように前記第２延在部と前記フレーム部とを接続する第２分岐部と、を有し、前記上面視において前記第２分岐部から前記第２延在部と前記第２フレーム延在部に分岐する。前記第１フレーム延在部及び前記第２フレーム延在部の少なくとも一方は、ウェアラブル機器を支持する支持部を備える。【０００８】
本発明の第二の態様によれば、前記第一の態様に係るウェアラブル機器用支持部材において、前記第１接続部は、側面視において、前記第１分岐部から前記第１延在部と前記第１フレーム延在部に分岐してもよい。前記第２接続部は、前記側面視において、前記第２分岐部から前記第２延在部と前記第２フレーム延在部に分岐してもよい。これにより、本発明のウェアラブル機器用支持部材は、使用者の視野を遮らない位置に配置され、かつ、ヘルメットの耳紐を回避することが容易となる。【０００９】
本発明の第三の態様によれば、前記第一または前記第二の態様に係るウェアラブル機器用支持部材において、前記第１フレーム延在部は、前記第１分岐部に着脱可能であってもよい。前記第２フレーム延在部は、前記第２分岐部に着脱可能であってもよい。これにより、ウェアラブル機器用支持部材及びヘルメットを装着した後に第１フレーム延在部及び第２フレーム延在部を取り付けることができるため、ヘルメットの耳紐が第１フレーム延在部及び第２フレーム延在部の外側に配置されないようウェアラブル機器用支持部材を装着することができる。【００１０】
本発明の第四の態様によれば、前記第一から前記第三の態様のうちのいずれか一態様に係るウェアラブル機器用支持部材は、前記フレーム部に接続され、前記使用者の前記前頭部に当接する第３当接部をさらに備えてもよい。これにより、本発明のウェアラブル機器用支持部材は、左右の側頭部及び前頭部の３点で固定することができ、より安定した固定が可能となる。【００１１】
本発明の第五の態様によれば、前記第四の態様に係るウェアラブル機器用支持部材において、前記第３当接部は、鉛直方向に移動可能であってもよい。これにより、本発明のウェアラブル機器用支持部材は、使用者頭部の大きさ等の個人差を考慮した固定をすることができる。
本発明の第六の態様によれば、前記第一から前記第五の態様のうちのいずれか一態様に係るウェアラブル機器用支持部材において、前記第１当接部及び前記第２当接部は、装着状態において、長手方向の中心位置が前記使用者の前記耳より後方に位置してもよい。これにより、本発明のウェアラブル機器用支持部材は、前頭部及び耳より後方の２点の計３点の支持点がバランスよく配置され、固定がさらに安定する。
【００１３】
本発明の第七の態様によれば、前記第一から前記第六の態様のうちのいずれか一態様に係るウェアラブル機器用支持部材は、前記第１フレーム延在部及び前記第２フレーム延在部に取り付けられ、前記使用者の後頭部に沿って当接する後頭部バンドをさらに備えてもよい。これにより、本発明のウェアラブル機器用支持部材は、より安定的に使用者の頭部に固定することができる。
【発明の効果】
【００１５】
本発明によれば、ヘルメットや危険を避けるための帽子等の帽体と干渉せず、安定的に使用者の頭部に対してウェアラブル機器を固定するウェアラブル機器用支持部材を提供することができる。
【図面の簡単な説明】
【００１６】
【図１】第１の実施形態のウェアラブル機器用支持部材を使用者が装着した状態を示す上面図である。
【図２】第１の実施形態のウェアラブル機器用支持部材及びヘルメットを使用者が装着した状態を示す側面図である。
【図３】第１の実施形態のウェアラブル機器用支持部材の接続部を拡大した斜視図である。
【図４Ａ】第１の実施形態のウェアラブル機器用支持部材とヘルメットの装着順を示す図である。
【図４Ｂ】第１の実施形態のウェアラブル機器用支持部材とヘルメットの装着順を示す図である。
【図５】第２の実施形態のウェアラブル機器用支持部材及びヘルメットを使用者が装着した状態を示す側面図である。
【図６】第３の実施形態のウェアラブル機器用支持部材を説明する上面図である。
【図７】第３の実施形態のウェアラブル機器用支持部材の着脱機構を説明する断面図である。
【図８】第４の実施形態のウェアラブル機器用支持部材を使用者が装着した状態を示す上面図である。
【図９】第４の実施形態のウェアラブル機器用支持部材及びヘルメットを使用者が装着した状態を示す側面図である。
【図１０Ａ】第３当接部のスライド機構を説明する図である。
【図１０Ｂ】第３当接部のスライド機構を説明する図である。
【図１０Ｃ】第３当接部のスライド機構を説明する図である。
【図１１】第３当接部のスライド機構を使用者側から見た平面図である。
【図１２Ａ】第３当接部のスライド機構の変形例を説明する図である。
【図１２Ｂ】第３当接部のスライド機構の変形例を説明する図である。
【図１３】第４の実施形態のウェアラブル機器用支持部材の変形例を使用者が装着した状態を示す上面図である。
【図１４】第４の実施形態のウェアラブル機器用支持部材の変形例及びヘルメットを使用者が装着した状態を示す側面図である。
【発明を実施するための形態】
【００１７】
以下、本発明の実施形態について説明する。なお、以下に説明する各実施形態は、請求の範囲に記載された本発明の内容を不当に限定するものではない。また各実施形態で説明される構成の全てが、本発明の必須構成要件であるとは限らない。
【００１８】
＜第１の実施形態＞
図１は、第１の実施形態にかかるウェアラブル機器用支持部材２００を使用者Ｕが装着した状態を示す上面図である。本実施形態にかかるウェアラブル機器用支持部材２００は、使用者Ｕへの装着状態において、使用者Ｕの右側頭部に当接するゴム等の弾性体より構成された第１当接部２０１Ｒ、使用者Ｕの左側頭部に当接するゴム等の弾性体より構成された第２当接部２０１Ｌ、第１当接部２０１Ｒと第２当接部２０１Ｌとに接続され使用者Ｕの前頭部に沿って介在する弾性を有する樹脂や金属等により構成されたフレーム部２０２、フレーム部２０２にウェアラブル機器１００を取り付けて支持する支持部２０７を備える。ウェアラブル機器用支持部材２００は、装着状態において、第１当接部２０１Ｒと第２当接部２０１Ｌとがフレーム部２０２の弾性力により使用者Ｕの頭部方向への力で付勢されることで使用者Ｕの頭部に固定される。なお、本実施形態では、ウェアラブル機器として表示装置（ニアアイディスプレイ）１００を用いている。
【００１９】
またウェアラブル機器用支持部材２００は、第１当接部２０１Ｒとフレーム部２０２とを接続する第１接続部２０３Ｒと、第２当接部２０１Ｌとフレーム部２０２とを接続する第２接続部２０３Ｌとを備える。さらに第１接続部２０３Ｒは、第１当接部２０１Ｒから使用者Ｕの前方に向かって延在する第１延在部２０４Ｒと、使用者Ｕの耳より前方に位置し、且つフレーム部２０２から使用者Ｕの後方に向かって延在する第１フレーム延在部２０５Ｒを形成するように第１延在部２０４Ｒとフレーム部２０２とを接続する第１分岐部２０６Ｒとから構成される。この結果、第１接続部２０３Ｒは、上面視において第１分岐部２０６Ｒから第１延在部２０４Ｒと第１フレーム延在部２０５Ｒに二股に分岐して、その間に隙間が形成される。言い換えると、第１延在部２０４Ｒと第１フレーム延在部２０５Ｒとは、第１分岐部２０６Ｒでのみ接続され、第１分岐部２０６Ｒから使用者Ｕの後方側にいくに従い徐々に距離が離れる構成となっている。同様に、第２接続部２０３Ｌは、第２当接部２０１Ｌから使用者Ｕの前方に向かって延在する第２延在部２０４Ｌと、使用者Ｕの耳より前方に位置し、且つフレーム部２０２から使用者Ｕの後方に向かって延在する第２フレーム延在部２０５Ｌを形成するように第２延在部２０４Ｌとフレーム部２０２とを接続する第２分岐部２０６Ｌとから構成される。この結果、第２接続部２０３Ｌは、上面視において第２分岐部２０６Ｌから第２延在部２０４Ｌと第２フレーム延在部２０５Ｌに二股に分岐して、その間に隙間が形成される。言い換えると、第２延在部２０４Ｌと第２フレーム延在部２０５Ｌとは、第２分岐部２０６Ｌでのみ接続され、第２分岐部２０６Ｌから使用者Ｕの後方側にいくに従い徐々に距離が離れる構成となっている。
【００２０】
支持部２０７は、第１フレーム延在部２０５Ｒ及び第２フレーム延在部２０５Ｌの少なくとも一方に配置される。使用者Ｕの頭部に当接する第１当接部２０１Ｒまたは第２当接部２０１Ｌの近傍に支持部を設けることで、重量バランス良くウェアラブル機器１００を支持することができる。本実施形態では第１フレーム延在部２０５Ｒに支持部２０７を設け、ウェアラブル機器（表示装置）１００を取り付けているが、第１フレーム延在部２０５Ｒと第２フレーム延在部２０５Ｌの両方に支持部２０７を設け、ウェアラブル機器１００を複数取り付ける構成としてもよい。この場合、例えば一方は表示装置、他方は撮像装置を取り付けることで異なる機能をもつウェアラブル機器を同時に装着することができる。ウェアラブル機器として、その他、センサやバッテリーなどを装着してもよい。なお、ウェアラブル機器用支持部材２００（支持部２０７）は、ウェアラブル機器１００と同一の筐体で構成し一体としてもよいし、支持部２０７にウェアラブル機器１００が嵌合する溝やねじ止めする機構等の周知の技術を用いてウェアラブル機器１００を着脱可能に取り付ける別体構成としてもよい。
【００２１】
図２は、第１の実施形態にかかるウェアラブル機器用支持部材２００及びヘルメット３００を使用者Ｕが装着した状態を示す側面図である。一般的に、ヘルメット３００には使用者Ｕの側頭部から耳の前後、顎を通り、反対側の側頭部へと繋がる耳紐３１０が付いている。また図３は、第１の実施形態のウェアラブル機器用支持部材２００の第１接続部２０３Ｒを拡大した斜視図である。なお図３では、支持部２０７及びウェアラブル機器１００は図示されていない。
【００２２】
ウェアラブル機器用支持部材２００の第１接続部２０３Ｒにおいて、第１延在部２０４Ｒと第１フレーム延在部２０５Ｒとが上面視において第１分岐部２０６Ｒから二股に分岐している。また第１分岐部２０６Ｒは、使用者Ｕへの装着状態において使用者Ｕの耳より前方に位置している。このような構成により、第１分岐部２０６Ｒの後方で第１延在部２０４Ｒと第１フレーム延在部２０５Ｒとの間に隙間が作られ、ヘルメット３００の耳紐３１０を通すことができる。よって、ウェアラブル機器用支持部材２００は、ヘルメット３００の耳紐３１０と干渉することなく、使用者Ｕに装着することができる。なお、第２接続部２０３Ｌに関しても同様の構成により、使用者Ｕの左側頭部において耳紐３１０との干渉を回避することができる。
【００２３】
図４Ａ及び図４Ｂは、第１の実施形態にかかるウェアラブル機器用支持部材２００とヘルメット３００を装着する順番を示す図である。図４Ａは、使用者Ｕがウェアラブル機器用支持部材２００を装着した後にヘルメット３００を装着する場合を示す図である。図４Ｂは、使用者Ｕがヘルメット３００を装着した後にウェアラブル機器用支持部材２００を装着する場合を示す図である。
【００２４】
図４Ａでは、使用者Ｕはウェアラブル機器用支持部材２００を頭部に装着している。その後に使用者Ｕは、ヘルメット３００を被り、第１延在部２０４Ｒと第１フレーム延在部２０５Ｒとが上面視において二股構造になっていることによりできた隙間に耳紐３１０を通す。同様に使用者Ｕは、第２延在部２０４Ｌと第２フレーム延在部２０５Ｌとが上面視において二股構造になっていることによりできた隙間に耳紐３１０を通す。このようにウェアラブル機器用支持部材２００及びヘルメット３００を装着することで、使用者Ｕはウェアラブル機器用支持部材２００を装着した後にヘルメット３００を装着することができる。
【００２５】
図４Ｂでは、使用者Ｕはヘルメット３００を頭部に装着している。その後に使用者Ｕは、ウェアラブル機器用支持部材２００を前方から差し込むように側頭部へ装着する。このとき使用者Ｕは、第１延在部２０４Ｒと第１フレーム延在部２０５Ｒとが上面視において二股構造になっていることによりできた隙間に耳紐３１０が通るように装着する。同様に使用者Ｕは、第２延在部２０４Ｌと第２フレーム延在部２０５Ｌとが上面視において二股構造になっていることによりできた隙間に耳紐３１０が通るように装着する。このようにウェアラブル機器用支持部材２００及びヘルメット３００を装着することで、使用者Ｕはヘルメット３００を装着した後にウェアラブル機器用支持部材２００を装着することができる。
【００２６】
上述の通り、本第１実施形態のウェアラブル機器用支持部材２００は、ヘルメット３００とともに使用する場合、ヘルメット３００を先に装着した状態において後からウェアラブル機器用支持部材２００を装着することができ、またウェアラブル機器用支持部材２００を先に装着した状態において後からヘルメット３００を装着することもできる。すなわち、ウェアラブル機器用支持部材２００及びヘルメット３００の何れを先に装着してもよく、ウェアラブル機器用支持部材２００の装着にあたってその順序に不都合は生じない。
【００２７】
＜第２の実施形態＞
次に第２の実施形態のウェアラブル機器用支持部材について説明する。図５は、第２の実施形態にかかるウェアラブル機器用支持部材２００及びヘルメット３００を使用者Ｕが装着した状態を示す側面図である。第１の実施形態のウェアラブル機器用支持部材２００とは、第１接続部２０３Ｒと第２接続部２０３Ｌの構造が異なっている。本実施形態にかかるウェアラブル機器用支持部材の第１接続部２０３Ｒは、側面視においても、第１分岐部２０６Ｒから第１延在部２０４Ｒと第１フレーム延在部２０５Ｒに二股に分岐している。フレーム部２０２及び第１フレーム延在部２０５Ｒが、第１の実施形態に比べ、第１延在部２０４Ｒに対し使用者Ｕの上方に傾いて配置されている。同様に第２接続部２０３Ｌは、側面視においても第２分岐部２０６Ｌから第２延在部２０４Ｌと第２フレーム延在部２０５Ｌに二股に分岐している。フレーム部２０２及び第２フレーム延在部２０５Ｌが、第１の実施形態に比べ、第２延在部２０４Ｌに対し使用者Ｕの上方に傾いて配置されている。
【００２８】
本実施形態のウェアラブル機器用支持部材２００は、上述の構成であるため、フレーム部２０２が使用者Ｕの視野を遮らない位置に配置される。また第１接続部２０３Ｒにおいて、第１延在部２０４Ｒと第１フレーム延在部２０５Ｒとが側面視においても第２分岐部２０６Ｒから二股に分岐していることにより、第１延在部２０４Ｒと第１フレーム延在部２０５Ｒとの間の隙間に耳紐３１０を通しやすくなる。第２接続部２０３Ｌが配置される使用者Ｕの左側頭部側についても同様である。
【００２９】
＜第３の実施形態＞
次に第３の実施形態のウェアラブル機器用支持部材について説明する。図６は、第３の実施形態のウェアラブル機器用支持部材２００を使用者Ｕが装着した状態を示す上面図である。第１の実施形態のウェアラブル機器用支持部材２００とは、第１フレーム延在部２０５Ｒと第２フレーム延在部２０５Ｌの構造が異なっている。本実施形態にかかるウェアラブル機器用支持部材２００の第１フレーム延在部２０５Ｒは、第１分岐部２０６Ｒに対して着脱可能となっている。同様に第２フレーム延在部２０５Ｌは、第２分岐部２０６Ｌに対して着脱可能となっている。このような構成であるため、使用者Ｕはウェアラブル機器用支持部材２００及びヘルメット３００を装着した後に第１フレーム延在部２０５Ｒ及び第２フレーム延在部２０５Ｌを取り付けることができる。従って、ヘルメット３００の耳紐が第１フレーム延在部２０５Ｒ及び第２フレーム延在部２０５Ｌの外側に配置されないように装着することができる。
【００３０】
図７は第１フレーム延在部２０５Ｒと第１分岐部２０６Ｒとの着脱機構を示す断面図である。支持部２０７及びウェアラブル機器１００等は図示しない。第１フレーム延在部２０５Ｒは断面が円形の円筒型の突起部２１４を有し、第１分岐部２０６Ｒは使用者Ｕの後方側の端部から前方にかけて断面が円形の溝部２１５を有する。第１フレーム延在部２０５Ｒの突起部２１４を第１分岐部２０６Ｒの溝部２１５に対して圧入することで、第１分岐部２０６Ｒ（ウェアラブル機器用支持部材２００）に対して第１フレーム延在部２０５Ｒ（支持部２０７及びウェアラブル機器１００）を取り付けることができる。なお、第１フレーム延在部２０５Ｒと第１分岐部２０６Ｒとの着脱方法は、互いに嵌合し合う凹部凸部や溝に限らず、磁石等の周知の技術を用いて着脱可能とすることができる。第２フレーム延在部２０５Ｌと第２分岐部２０６Ｌとの着脱方法も、同様に周知技術を用いることで着脱可能とする。
【００３１】
＜第４の実施形態＞
次に第４の実施形態のウェアラブル機器用支持部材について説明する。図８は、第４の実施形態のウェアラブル機器用支持部材２００を使用者Ｕが装着した状態を示す上面図である。また図９は、第４の実施形態のウェアラブル機器用支持部材２００及びヘルメット３００を使用者Ｕが装着した状態を示す側面図である。第４の実施形態のウェアラブル機器用支持部材２００は、使用者Ｕの前頭部に当接する第３当接部２０８が設けられている。また第１当接部２０１Ｒ及び第２当接部２０１Ｌは、使用者Ｕのやや後方側の側頭部に当接する位置に配置されている。具体的には、第１当接部２０１Ｒ及び第２当接部２０１Ｌの長手方向（図９では、水平方向）の中心位置Ｃが使用者Ｕの耳より後方に位置している。このような構成であるため、使用者Ｕの前後方向に対してより安定した固定が可能となる。
【００３２】
図１０Ａ〜図１０Ｃは、第３当接部２０８のスライド部２１０を説明する図である。また図１１は第３当接部２０８のスライド部２１０を使用者Ｕ側から見た平面図である。図１０Ａは、第３当接部２０８を使用者Ｕの額の高い位置に配置した状態を示す図である。第３当接部２０８は、２つのスライド部材２１１Ａ及び２１１Ｂで構成されるスライド部２１０を介してフレーム部２０２に接続される。２つスライド部材２１１Ａ及び２１１Ｂは、一端がピンで第３当接部２０８に回動自在に固定されている。また２つのスライド部材２１１Ａ及び２１１Ｂには、スライド部材の長手方向に沿って孔２１２Ａ及び２１２Ｂが形成されている。この孔２１２Ａ及び２１２Ｂがフレーム部２０２の突起部２１３Ａ及び２１３Ｂに対し取り付けられることで、スライド部材２１１Ａ及び２１１Ｂが摺動自在に取り付けられている。ここで、第３当接部２０８に使用者Ｕの下方への力を加えられると、スライド部材２１１Ａ及び２１１Ｂの孔２１２Ａ及び２１２Ｂに沿ってスライド部材とフレーム部２０２との接続点が移動する。それにともない第３当接部２０８は、図１０Ａの位置から図１０Ｂの位置へと移動する。さらに第３当接部２０８に使用者Ｕの下方への力が加えられると、第３当接部２０８は図１０Ｂの位置から図１０Ｃの位置へと移動する。このように第３当接部２０８が鉛直方向にスライド可能にフレーム部２０２に固定されていることにより、使用者の頭部の大きさ、形に応じた位置に第３当接部を配置することができる。よって、ウェアラブル機器用支持部材２００は、個人差に応じた安定的な固定が可能となる。なお、スライド部の構成は、本実施形態の構成に限らず、凹部と凸部によるスライド機構等を用いてもよい。また、本実施形態ではスライド部２１０がフレーム部２０２に対して摺動自在に取り付けられることで第３当接部２０８が鉛直方向にスライド可能となっているが、図１２Ａ及び図１２Ｂに示すように第３当接部２０８がフレーム部２０２に固定されたスライド部材２１１に対してスライドする機構でもよい。スライド部２１０の機構は、本実施形態の構成に限らず周知の技術を用いてスライド可能とすることができる。
【００３３】
次に第４の実施形態の変形例を説明する。図１３は、第４の実施形態のウェアラブル機器用支持部材２００の変形例を使用者Ｕが装着した状態を示す上面図である。また図１４は、第４の実施形態のウェアラブル機器用支持部材２００の変形例及びヘルメット３００を使用者Ｕが装着した状態を示す側面図である。第４の実施形態のウェアラブル機器用支持部材２００とは、ゴム等の弾性体の材料より構成された後頭部バンド２０９を備えている点が異なっている。
【００３４】
後頭部バンド２０９は、第１フレーム延在部２０５Ｒと第２フレーム延在部２０５Ｌに取り付けられ、使用者Ｕの後頭部に沿って当接している。このような構成によって、ウェアラブル機器用支持部材２００はより安定的に使用者Ｕの頭部に固定される。
【００３５】
この変形例では、後頭部バンド２０９は第１フレーム延在部２０５Ｒと第２フレーム延在部２０５Ｌに取り付けられる構成としたが、第１当接部２０１Ｒと第２当接部２０１Ｌに取り付けられる構成としてもよい。また後頭部バンド２０９は、また本実施形態の構成は、第１の実施形態または第２の実施形態にも適用することができる。
【００３６】
以上、本発明は、上記実施の形態にのみ限定されるものではなく、幾多の変形または変更が可能である。例えば、ウェアラブル機器１００は、映像表示装置に限らず、撮像装置や音楽再生装置等の他のウェアラブル機器であってもよい。また支持部２０７は、第１フレーム延在部２０５Ｒまたは第２フレーム延在部２０５Ｌに対して、スライド可能であってもよい。また支持部２０７は、第１フレーム延在部２０５Ｒまたは第２フレーム延在部２０５Ｌとの接続点を中心に回動可能であってもよい。またウェアラブル機器用支持部材は、支持部２０７をスライド、回動可能にすることでウェアラブル機器１００の配置を調整することができる。更に、上記実施の形態を組み合わせることも可能である。本発明の要旨を逸脱しない範囲で、種々の変更又は変形が可能である。
【産業上の利用可能性】
【００３７】
本発明によれば、ヘルメットや危険を避けるための帽子等の帽体と干渉せず、安定的に使用者の頭部に対してウェアラブル機器を固定するウェアラブル機器用支持部材を提供することができる。
【符号の説明】
【００３８】
１００  ウェアラブル機器
２００  ウェアラブル機器用支持部材
２０１Ｒ  第１当接部
２０１Ｌ  第２当接部
２０２  フレーム部
２０３Ｒ  第１接続部
２０３Ｌ  第２接続部
２０４Ｒ  第１延在部
２０４Ｌ  第２延在部
２０５Ｒ  第１フレーム延在部
２０５Ｌ  第２フレーム延在部
２０６Ｒ  第１分岐部
２０６Ｌ  第２分岐部
２０７  支持部
２０８  第３当接部
２０９  後頭部バンド
２１０  スライド部
２１１  スライド部材
２１２  孔
２１３Ａ、２１３Ｂ  突起部
２１４  突起部
２１５  溝部
３００  ヘルメット
３１０  耳紐
Ｃ  第１当接部（又は第２当接部）の長手方向の中心位置Ｃ
Ｕ  使用者
【図１】
0006487463.tif 000002
【図２】
0006487463.tif 000003
【図３】
0006487463.tif 000004
【図４Ａ】
0006487463.tif 000005
【図４Ｂ】
0006487463.tif 000006
【図５】
0006487463.tif 000007
【図６】
0006487463.tif 000008
【図７】
0006487463.tif 000009
【図８】
0006487463.tif 000010
【図９】
0006487463.tif 000011
【図１０Ａ】
0006487463.tif 000012
【図１０Ｂ】
0006487463.tif 000013
【図１０Ｃ】
0006487463.tif 000014
【図１１】
0006487463.tif 000015
【図１２Ａ】
0006487463.tif 000016
【図１２Ｂ】
0006487463.tif 000017
【図１３】
0006487463.tif 000018
【図１４】
0006487463.tif 000019